(57)【要約】【課題】ディスクへの損傷を低減し、かつ、ディスクの振れを抑制する技術を提供する。【解決手段】ディスクに対してデータの読み出しとデータの書き込みとのうち少なくともいずれか一方を実行するディスク再生装置であって、前記ディスクを記録面側から支持し、かつ該ディスクを回転させる回転支持部と、前記回転支持部によって支持される前記ディスクの非記録面を被覆し、かつ該ディスクと共に回転する被覆部と、前記ディスクの中心部と該ディスクの中心部より外側の所定の領域とを、前記被覆部と接触して該ディスクを押圧し、該ディスクの振れを抑制する押圧部と、を備える。【選択図】図３
2009283053.tif 000002
【特許請求の範囲】
【請求項１】
ディスクに対してデータの読み出しとデータの書き込みとのうち少なくともいずれか一方を実行するディスク再生装置であって、
前記ディスクを記録面側から支持し、かつ該ディスクを回転させる回転支持部と、
前記回転支持部によって支持される前記ディスクの非記録面を被覆し、かつ該ディスクと共に回転する被覆部と、
前記ディスクの中心部と該ディスクの中心部より外側の所定の領域とを、前記被覆部と接触して該ディスクを押圧し、該ディスクの振れを抑制する押圧部と、
を備えるディスク再生装置。
【請求項２】
前記押圧部は、前記ディスクの非記録面側から記録面側に向けて押圧する、請求項１に記載のディスク再生装置。
【請求項３】
前記押圧部は、前記ディスクの中心部を被覆する被覆部と接触する中心接触部と、前記ディスクの中心部より外側の所定の領域を被覆する被覆部と接触する外側接触部とを有し、
前記外側接触部は、前記ディスクが回転する際、前記ディスクの中心部より外側の所定の領域を被覆する被覆部と回転しながら接触する回転体である、請求項１又は請求項２に記載のディスク再生装置。
【請求項４】
前記回転体は、弾性部材からなる請求項３に記載のディスク再生装置。
【請求項５】
前記押圧部は、前記外側接触部の高さ位置を調整する調整部を更に有する請求項３に記載のディスク再生装置。
【請求項６】
前記押圧部を前記ディスクの非記録面側から記録面側に向けて所定の力で付勢する付勢部を更に備える、請求項１から請求項５のいずれか１項に記載のディスク再生装置。
【請求項７】
前記被覆部は、前記ディスクの非記録面の、該ディスクの中心部と、該ディスクの記録領域よりも外側の領域とを被覆し、
前記押圧部は、前記被覆部で被覆されている前記ディスクの中心部と、該ディスクの記録領域よりも外側の領域と接触して該ディスクを押圧し、該ディスクの振れを抑制する請求項１から請求項６のいずれか１項に記載のディスク再生装置。
【請求項８】
前記被覆部は、前記ディスクの非記録面の全面を被覆し、
前記押圧部は、前記被覆部によって被覆されている領域のうち、前記ディスクの中心部と、該ディスクの記録領域よりも外側の領域と接触して該ディスクを押圧し、該ディスクの振れを抑制する請求項１から請求項７のいずれか１項に記載のディスク再生装置。
【請求項９】
前記被覆部は、前記ディスクの外郭よりも外側に突出する突出部を有し、
前記押圧部は、前記ディスクの非記録面側のうち、前記被覆部によって被覆されている該ディスクの中心部を、該ディスクの非記録面側から記録面側に向けて押圧し、かつ、前記突出部を、該ディスクの側面側から中心に向けて押圧する、請求項１に記載のディスク再生装置。
【請求項１０】
前記押圧部は、前記ディスクの中心部を被覆する被覆部と接触する中心接触部と、前記突出部と接触する外側接触部とを有し、
前記外側接触部は、前記ディスクが回転する際、前記突出部と回転しながら接触する回転体であって、前記ディスクの外側に設けられ、該ディスクの回転軸と略平行な回転軸周
りに回転する円柱状の回転体である請求項９に記載のディスク再生装置。
【発明の詳細な説明】
【技術分野】
【０００１】
本発明は、ディスク再生装置に関する。
【背景技術】
【０００２】
楽曲等のコンテンツが格納されたディスクを再生するディスク再生装置が知られている。ここで図１は、従来のディスク装置の断面図を示す。なお、図１は、ターンテーブルにディスクが装着されている状態を示す。同図に示すように、従来のディスク再生装置１００ｎは、ディスクの記録面（鏡面側）を支持すると共にディスクを回転させるターンテーブル１ｎと、ターンテーブル１ｎを回転させる駆動源としてのスピンドルモータ２ｎと、ディスク３ｎの非記録面（非鏡面側）の中心部を支持するクランパ４ｎと、クランパ４ｎが接続されるクランプアーム５ｎと、ディスクの記録面へのレーザ光の送出と受光を行うピックアップレンズ６１ｎを有するピックアップ部６ｎと、によって構成されている。
【０００３】
上記のような従来のディスク装置１００ｎでは、クランパ４ｎがディスク３ｎの非記録面の中心部（クランプ領域）のみを支持する構成であることから、例えばディスクに反りや面振れや外部振動等があると、ディスク３ｎとピックアップレンズ６ｎとの距離が変化する虞がある。そして、ディスク３ｎとピックアップレンズ６ｎとの距離が変化すると、ピックアップレンズ６ｎから送出されたレーザ光の受光が正確に行えなくなることが懸念される。また、ディスク３ｎとピックアップレンズ６ｎとの距離が短くなりすぎた場合には、ディスク３ｎとピックアップレンズ６ｎが接触してしまい、ディスク３ｎ又はピックアップレンズ６１ｎが損傷するといったことが懸念されていた。
【０００４】
このような問題を解決するものとして、ディスク３ｎの記録面側（鏡面側）外周付近にローラ等の回転体を配置する技術が知られている（例えば、特許文献１参照。）この技術によれば、ディスク３ｎの中心部のみでクランパ４ｎによって支持する従来技術よりも、ディスク３ｎの面振れを抑制することができる。
【特許文献１】特開昭５７−１３８１７５号公報
【特許文献２】特開昭５８−１１４３５１号公報
【発明の開示】
【発明が解決しようとする課題】
【０００５】
楽曲等のコンテンツが格納されたディスクを再生するディスク再生装置が知られている。従来のディスク再生装置は、クランプがディスクの非記録面の中心部のみを支持する構成であることから、例えばディスクに反りや面振れや外部振動等があると、ディスクとピックアップレンズとの距離が変化してしまうといった問題があった。このような問題を解決すべく、ディスクの記録面側（鏡面側）外周付近にローラ等の回転体を配置する技術が知られている。しかしながら、上記ローラを設ける技術では、ローラがディスクの記録面と直接接触することから、ディスクの記録面に傷をつけてしまうことが懸念される。また、ローラは、記録面への損傷を少なくするため、ゴム等の弾性部材によって構成されるが、ローラは温度や湿度といった環境の変化や、時間の経過等により劣化する虞がある。そして劣化したローラでは、記録面へ損傷を与える可能性が更に増加することが懸念される。
【０００６】
本発明では、上記した背景に鑑み、ディスクへの損傷を低減し、かつ、ディスクの振れを抑制する技術を提供することを課題とする。
【課題を解決するための手段】
【０００７】
本発明では、上述した課題を解決するため、ディスクの非記録面を被覆する被覆部と、更に被覆部の表面と接触してディスクを押圧し、ディスクの振れを抑制する押圧部を設けることとした。これにより、本発明によれば、ディスクへの損傷を防止し、かつ、ディスクの振れを抑制することができる。
【０００８】
より詳細には、本発明は、ディスクに対してデータの読み出しとデータの書き込みとのうち少なくともいずれか一方を実行するディスク再生装置であって、前記ディスクを記録面側から支持し、かつ該ディスクを回転させる回転支持部と、前記回転支持部によって支持される前記ディスクの非記録面を被覆し、かつ該ディスクと共に回転する被覆部と、前記ディスクの中心部と該ディスクの中心部より外側の所定の領域とを、前記被覆部と接触して該ディスクを押圧し、該ディスクの振れを抑制する押圧部と、を備える。
【０００９】
本発明のディスク再生装置は、ディスクに対してデータの読み出しとデータの書き込みとのうち少なくともいずれか一方を実行できればよい。従って、本発明のディスク再生装置は、例えば音楽情報といったコンテンツデータが予め記録されているディスクを再生するデータ処理装置とすることができる。また、本発明のディスク再生装置は、パーソナルコンピュータ等に搭載される、ディスクに予め記録されているデータを処理すると共に、ディスクにデータの書き込みを行う記録装置としてもよい。ディスクには、ＣＤ、ＣＤ−ＲＯＭ、ＤＶＤ、ＤＶＤ−ＲＯＭ、ＢＤ（ブルーレイディスク）といった光ディスクが例示される。
【００１０】
回転支持部は、ディスクを記録面側から支持すると共にディスクを回転させる。回転支持部がディスクを支持する位置は、例えばディスクの記録面側の中心部（クランプ領域）とすることができる。回転支持部がディスクを回転させる際の回転力は、モータといった駆動源から得ることができる。
【００１１】
被覆部は、回転支持部によって支持されるディスクの非記録面を被覆する。被覆部による被覆は、少なくとも押圧部が接触する部分が被覆されていればよい。従って、被覆部により被覆される領域は、ディスクの全面でもよく、また、一部でもよい。被覆部の材質は、温度変化や湿度変化等によっても変形し難い剛体部材とすることが好ましい。但し、ディスクの非記録面と接触する部分には、弾性部材を用いることが好ましく、その結果、被覆部とディスクとの接触による、ディスクの非記録面への損傷を低減することができる。
【００１２】
押圧部は、被覆部と接触してディスクを押圧し、ディスクの振れを抑制する。その結果、ディスクの振れによるディスクの記録面とレンズとの接触を抑制し、ディスクの記録面への損傷、又はピックアップレンズの損傷を防止することができる。また、ディスクの振れを抑制することでディスクの安定的な処理（例えば、ディスクに記録されているコンテンツデータの再生処理）を実現することができる。更に、ディスクやピックアップレンズの損傷による再生不良の発生も抑制することが可能となる。
【００１３】
ここで、本発明において、前記押圧部は、該ディスクの非記録面側から記録面側に向けて押圧するようにしてもよい。これにより、ディスクの記録面と直交する方向への振れを効果的に抑制することができる。
【００１４】
また、本発明において、前記押圧部は、前記ディスクの中心部を被覆する被覆部と接触する中心接触部と、前記ディスクの中心部より外側の所定の領域を被覆する被覆部と接触する外側接触部とを有し、前記外側接触部は、前記ディスクが回転する際、前記ディスクの中心部より外側の所定の領域を被覆する被覆部と回転しながら接触する回転体としてもよい。
【００１５】
本発明によれば、接触部をディスクの周方向に回転しながら被覆部を押圧する回転体とすることで、ディスクの回転を妨げずにディスクの振れを抑制することができる。回転体は、例えばローラやベアリングとすることができる。ローラとする場合には、回転体の回転軸をディスクの接線方向と略直交するように配置すればよい。
【００１６】
なお、前記押圧部の回転体は、弾性部材としてもよい。回転体を弾性部材とすることで、弾性部材のたわみを用いて被覆部に対して一定の負荷をかけることができる。その結果、ディスクの振れを抑制することが可能となる。また、前記押圧部の回転体は、非弾性部材としてもよい。回転体を樹脂などの非弾性部材とすることで、回転体の耐久性を向上することができる。また、弾性部材に比べて成形が容易であり、耐久性も優れていることから、コストの削減を図ることができる。
【００１７】
ここで、接触部の構成は、上記に限定されるものではない。接触部は、回転体とせず単なる非記録面側に突出した突出部としてもよい。突出部は、例えば半球状とすることで、被覆部との接触面積を低減することができる。その結果、ディスクの回転に対する抵抗を抑制すると共に、ディスクへの損傷を低減することができる。また、接触部に、潤滑材を塗付してもよく、更に被覆部の表面を摺動性の高いコーティング層を形成してもよい。これにより、押圧部と被覆部との摩擦をより低減することができる。
【００１８】
また、本発明において、前記押圧部は、前記被覆部と接触する接触部と、前記接触部の高さ位置を調整する調整部と、を有する構成としてもよい。接触部は、その形状等に製造段階において誤差が生じることも想定される。接触部の形状等に誤差が生ずると、被覆部を押圧する位置にもずれが生じることが懸念され、ディスクを撓ませてしまうといった弊害を生じる虞がある。そこで、本発明では、接触部の高さ位置を調整する調整部を設けることとした。これにより、本発明によれば、接触部の高さ位置を調整することで、仮に押圧部の形状等に誤差が生じた場合であっても、効果的にディスクの振れを抑制することができる。
【００１９】
また、本発明は、前記押圧部を前記ディスクの非記録面側から記録面側に向けて所定の力で付勢する付勢部を更に備える構成としてもよい。これにより、被覆部に対して一定の負荷をかけることができ、ディスクの振れを抑制することが可能となる。付勢部は、例えば板ばねやバイアスばねとすることができる。
【００２０】
また、本発明において、前記被覆部は、前記ディスクの非記録面の、該ディスクの中心部と、該ディスクの記録領域よりも外側の領域とを被覆し、前記押圧部は、前記被覆部で被覆されている前記ディスクの中心部と、該ディスクの記録領域よりも外側の領域と接触して該ディスクを押圧し、該ディスクの振れを抑制するようにしてもよい。
【００２１】
被覆部による被覆部をディスクの非記録面の全面でなく、中心部と記録領域よりも外側とすることで、万が一ディスクと被覆部との間に回転のずれが生じた場合であっても、ディスクへの損傷を最小限にすることができる。また、押圧部によって押圧する位置は、より外側である方が好ましく、これにより、より安定的にディスクの振れを抑制することができる。従って、本発明のように、被覆部による被覆位置をディスクの記録領域よりも外側を押圧することで、より安定的にディスクの振れを抑えることが可能となる。なお、ディスクには、直径が約１２ｃｍのディスクの他、直径が８ｃｍのディスクも存在する。そこで、異なる直径に合わせて被覆部によって被覆する位置を調整することで、外形が異なるディスクにも対応させることが可能となる。
【００２２】
また、本発明において、前記被覆部は、前記ディスクの非記録面の全面を被覆し、前記押圧部は、前記被覆部によって被覆されている領域のうち、前記ディスクの中心部と、該
ディスクの記録領域よりも外側の領域と接触して該ディスクを押圧し、該ディスクの振れを抑制するようにしてもよい。本発明では、被覆部の形状をディスクの形状に合わせて設計するだけでよく、製造における手間を低減することができる。
【００２３】
また、本発明において、前記被覆部は、前記ディスクの外郭よりも外側に突出する突出部を有し、前記押圧部は、前記ディスクの非記録面側のうち、前記被覆部によって被覆されている該ディスクの中心部を、該ディスクの非記録面側から記録面側に向けて押圧し、かつ、前記突出部を、該ディスクの側面側から中心に向けて押圧するようにしてもよい。また、前記押圧部は、前記ディスクの中心部を被覆する被覆部と接触する中心接触部と、前記突出部と接触する外側接触部とを有し、前記外側接触部は、前記ディスクが回転する際、前記突出部と回転しながら接触する回転体であって、前記ディスクの外側に設けられ、該ディスクの回転軸と略平行な回転軸周りに回転する略円柱状の回転体としてもよい。本発明によれば、突出部を、ディスクの側面側から中心に向けて押圧することで、ディスクの振れを抑制することができる。
【発明の効果】
【００２４】
本発明によれば、ディスクへの損傷を低減し、かつ、ディスクの振れを抑制する技術を提供することができる。
【発明を実施するための最良の形態】
【００２５】
次に、本発明のディスク再生装置の実施形態について図面に基づいて説明する。
【００２６】
＜第一実施形態＞
（構成）
図２は、第一実施形態のディスク再生装置１００の外観の斜視図を示す。本実施形態のディスク再生装置１００は、正面からのディスク３が挿入可能である。ディスク３には、ＣＤ−ＲＯＭやＤＶＤ−ＲＯＭといった読み出し専用のメディアの他、ＣＤ−ＲＷ、ＤＶＤ−ＲＷ、ＢＤ（ブルーレイディスク）のように書き換え可能なメディアも含まれる。また、ディスク３は、ＣＤ−ＲやＤＶＤ−Ｒといった一度だけ書き込み可能なメディアであってもよい。本実施形態のディスク再生装置１００は、このようないわゆる光ディスクを再生する装置として用いることができる。本実施形態のディスク再生装置は、光ディスクを再生する装置として好適に用いることができ、車両に搭載されるナビゲーションシステムのディスク再生装置、家庭用の各種デッキ、パーソナルコンピュータに内蔵されるディスクドライブ等として好適に用いることができる。
【００２７】
ここで、図３は、第一実施形態のディスク再生装置１００の概略構成を示す分解斜視図を示す。また、図４は、ディスク再生装置１００の断面図を示す。本実施形態のディスク再生装置１００は、下から順に、筐体下１０ｂ、ターンテーブル１とピックアップレンズ６１を有するピックアップ部６とスピンドルモータ２とを有するユニット９、被覆部４、押圧部５、筐体上１０ａ、によって構成されている。筐体下１０ｂ、筐体上１０ａは、ユニット９、被覆部４、押圧部５といったディスク再生装置１００を構成する各種装置を収容する。筐体下１０ｂ及び筐体上１０ａの内部には、上記のほか、図示しないＣＰＵ（中央演算処理装置）やＨＤＤ（ハードディスクドライブ）といった電子機器に必要とされる各種装置を収容することができる。
【００２８】
ターンテーブル１は、ディスク３の記録面側（鏡面側）を支持すると共にディスク３を回転させる。スピンドルモータ２は、ターンテーブル１が支持するディスク３に回転力を与える。すなわち、スピンドルモータ２は、ディスク３を回転させる駆動源として機能する。
【００２９】
ピックアップ部６は、ディスク３に対してレーザ光を送出する。より具体的には、ピックアップ部６のピックアップレンズ６１は、ディスク３の記録面（紙面下側）にレーザ光を送出し、受光するものであり、レーザ光源及び受光部として機能する。また、ピックアップ部６のピックアップレンズ６１は、レーザ光の送出又は受光時にディスク３の外側から中心に向けてスライド可能である。なお、ピックアップ部６のスライドは、ピックアップ部６の近傍に設けられたモータ７からの駆動力によって行われる。
【００３０】
被覆部４は、ディスク３を被覆し、かつディスク３と共に回転する。このようにディスク３の非鏡面側を被覆部４によって被覆することで、ディスク３と被覆部４との接触によって起こりうるディスク３への損傷の発生を防止することができる。なお、第一実施形態の被覆部４は、円盤状であり、その外径及び厚さは、ディスク３とほぼ同じに設計されている。また、本実施形態の被覆部４は、板金によって構成されている。その結果、本実施形態の被覆部４は、温度変化や湿度変化といった環境変化による変形を防止することができる。
【００３１】
押圧部５は、ディスク３の中心部（クランプ領域）とディスク３の記録領域よりも外側の領域とを、被覆部４と接触してディスク３の非記録面側から記録面側に向けて押圧する。これにより、ディスク３の振れを抑制することができる。第一実施形態の押圧部５は、中心部から外側に向けて３つのアーム５２が放射状に伸びている。中心部には、ディスク３の中心部をターンテーブル１と挟み込んで保持するクランパ５１（本発明の中心接触部に相当する。）が設けられている。ディスク３は、このクランパ５１と上述したターンテーブル１によって挟み込まれるようにその中心が保持される。
【００３２】
また、本実施形態のディスク再生装置１００は、押圧部のアーム５２の夫々の先端付近に、外側接触部５３が設けられている。本実施形態においては、この外側接触部５３がローラ５３２、シャフト５３１、シャフト５３１を支持する支持部５３３によって構成されている。ここで、図５は、第一実施形態のローラ５３２、シャフト５３１の分解斜視図を示す。同図に示すように、本実施形態のローラ５３２は、円盤状のローラ本体５３２ｂからなり、このローラ本体５３２ｂには貫通孔５３２ａが設けられ、シャフト５３１が貫通している。また、シャフト５３１には、ローラ本体５３２ａをシャフト５３１に固定するための固定部５３２ｂが設けられている。この固定部５３２ｂは、シャフト５３１の外側に環状に突出するように形成され、シャフト５３１の長手方向のほぼ中心付近にローラ本体５３２ａを挟み込むように二つ設けられている。このようなローラ５３２は、アーム５２の上面に設けられた支持部５３３によって回転可能に支持されている。なお、本実施形態では、ローラ本体５３２ａとシャフト５３１とを別部材によって構成したが、ローラ本体５３２ａとシャフト５３１とを合成樹脂によって一体的に形成してもよい。
【００３３】
ローラ本体５３２ａは、ゴム、ウレタンといった弾性部材によって構成することができる。これにより、弾性部材のたわみを用いて被覆部４に対して一定の負荷をかけることができる。また、ローラ本体５３２ａは、例えば剛性樹脂のような非弾性部材によって構成してもよい。この場合、ローラ本体５３２ａの耐久性を向上することができる。また、弾性部材に比べて成形が容易であり、耐久性も優れていることから、コストの削減を図ることができる。また、シャフト５３１は、ステンレス、真鍮、剛性樹脂等によって構成することができる。
【００３４】
図６は、ローラ５３２の上面図を示す。同図に示すように、ローラ５３２は、シャフト５３１がディスク３の接線方向とほぼ直交するように配置されている。その結果、ローラ５３２は、ディスク３と共に回転する被覆部４の回転を阻害することなく、被覆部４と接触することができる。
【００３５】
（効果）
以上説明した第一実施形態のディスク再生装置１００によれば、ディスク３への損傷を低減し、かつ、ディスク３の振れを抑制することができる。より詳細には、押圧部５によってディスク３の中心部と記憶領域の外側が押圧されるので、ディスク３の振れを抑制することができる。なお、本実施形態のディスク再生装置１００は、ＣＤ−ＲＯＭやＤＶＤ−ＲＯＭといった各種光ディスクの処理装置として用いることができる。また、ＢＤ（ブルーレイディスク）は、ＣＤ等と比較してピックアップレンズとディスクの記録面との距離が近いことから、ディスクの振れによるディスクとピックアップレンズとの接触や読み取り不良等が懸念される。しかし、本実施形態のディスク再生装置１００によれば、ディスクの振れを従来よりも大幅に低減できることから、このようなＢＤの処理装置としても好適に用いることができる。
【００３６】
＜第二実施形態＞
次に第二実施形態のディスク再生装置１００ａについて説明する。図７は、第二実施形態のディスク再生装置１００ａの外側接触部５３ａを示す。第二実施形態のディスク再生装置１００ａは、基本的には第一実施形態のディスク再生装置１００と同様の構成を有している。但し、第二実施形態のディスク再生装置１００ａは、外側接触部５３ａの構成が異なる。すなわち、第二実施形態のディスク再生装置１００ａでは、外側接触部５３ａが、ローラ５３２、シャフト５３１、支持部５３３に加えて、更にバネ部材５３４が設けられている点で構成が異なっている。
【００３７】
バネ部材５３４は、直線状の基部５３４ａと、この直線状の基部５３４ａの両端が略直角に折り曲げられた直線状の側部５３４ｂと、側部５３４ｂの先端側に設けられたシャフト５３１を所定の力で押圧するバネ側押圧部５３４ｃとによって構成されている。バネ側押圧部５３４ｃは、シャフト５３１に対して下向きの一定の負荷を与えられるように、側部５３４ｂの先端側が側部５３４ｂに対して上向きに折り曲げられることで形成されている。また、基部５３４ａの中央付近には基部５３４ａを湾曲させることで形成したリング部５３４ａ１が設けられている。このリング部５３４ａ１に例えばリベット等を貫通させてアーム５２に固定することができる。
【００３８】
第二実施形態のディスク再生装置１００ａによれば、バネ部材５３４を備えることで、ディスク３に一定の負荷をかけながらディスク３の振れを抑えることができる。なお、本実施形態によれば、ローラ５３２をゴム等の弾性部材によって形成しない場合であっても、ディスク３に対して一定の負荷をかけることができる。また、バネ部材５３４は、弾性部材に比べて温度変化等による劣化が少ないので、部品交換といった手間を低減させることができる。
【００３９】
＜第三実施形態＞
次に第三実施形態のディスク再生装置１００ｃについて説明する。図８は、高さ調整機能付き外側接触部５３ｃを示す。図９は、第三実施形態の外側接触部５３ｃを示す。第三実施形態の外側接触部５３ｃは、高さ調整機構を有する点で、第一実施形態の外側接触部５３と異なっている。すなわち、第三実施形態では、ローラ５３２がローラホルダ５３５によって保持されている。ローラホルダ５３５は、ローラ５３２を側面から挟み込むように配置される２枚の板部材５３５ａと２枚の板部材５３５ａ同士を接続する連結部５３５ｂによって構成されている。また、２枚の板部材５３５ａの側面には、支持部５３３ｃに形成されている縦長状の縦長貫通孔５３３ｃ１へ挿入するガイドピン５２１ａが縦方向に二つ設けられている。更に、板部材５３５ａの側面であって、ガイドピン５２１ａ同士の間には、固定部材として螺子５３６が接続されるタップ５２１ｂが設けられている。
【００４０】
ローラ５３２は、その形状等に製造段階において誤差が生じることも想定される。ロー
ラ５３２の形状等に誤差が生ずると、被覆部４を押圧する位置にもずれが生じることが懸念され、ディスク３を撓ませてしまうといった弊害を生じる虞がある。本実施形態の外側接触部５３ｃは、その高さ位置が調整可能である。その結果、本実施形態のデータ処理装置１００ｃによれば、外側接触部５３ｃの高さ位置を調整することで、仮にローラ５３２の形状等に誤差が生じた場合であっても、効果的にディスク３の振れを抑制することができる。
【００４１】
なお、高さ位置の調整は、例えば以下のように行えばよい。すなわち、アーム５２に形成された孔部５２１にローラ５３２をローラホルダ５３５と共に配置する。この際、ローラ５３２の進行方向の位置決めは、アーム５２の孔部５１０に設けられている位置決め溝部５１０ａにガイドピン５２１ａを落とし込むことで誘導することができる。その後、ローラホルダ５３５の自重によって被覆部４とローラ５３２とを接触させ、その状態にて固定部材としての螺子５３６によってローラホルダ５３５を支持部５３３に固定する。以上によってローラ５３２を製造誤差等に関係なく最適な高さに配置することが可能となる。
【００４２】
＜第四実施形態＞
次に第四実施形態のディスク再生装置１００ｄについて説明する。図１０は、第四実施形態のディスク再生装置１００ｄの外側接触部５３ｄを示す。同図に示すように、第四実施形態のディスク再生装置１００ｄは、外側接触部５３ｄが、ボールベアリング５７０と、ボールベアリング５７０を保持すると共に下向きに付勢された保持部５５と、保持部５５をアーム５２ｄに固定する固定部材としての螺子５６とによって構成されている。
【００４３】
ボールベアリング５７０は、ディスク３が回転する際、被覆部４と接触しながら回転するので、ディスク３の回転を阻害することなく、ディスク３の振れを抑制することができる。また、保持部５５は、下向きに付勢された板ばねとして機能することから、ディスク３へ一定の負荷を与えながらディスク３の振れを抑制することができる。また、ボールベアリング５７０によれば、ローラ５３２と異なり回転方向が制限されないことから、ボールベアリング５７０の配置の設計の自由度をより向上させることができる。
【００４４】
＜第五実施形態＞
図１１は、第五実施形態のディスク再生装置１００ｅの外側接触部５３ｅを示す。同図に示すように、第五実施形態のディスク再生装置１００ｅは、外側接触部５３ｅが、板ばね５８０と、板ばね５８０をアーム５２ｅに固定する固定部材としての螺子５６ｅとによって構成されている。板ばね５８０は、アーム５２ｅと固定される基部５８１と、基部５８１から斜め下方に折り曲げられた折曲部５８２と、折曲部５８２が平行になるように折り曲げられた先端部５８３とによって構成されている。先端部５８３は、アーム５２ｅの孔部５２１ｅから被覆部４側に突出している。また、その先端部５８３の中央付近には、被覆部４側に突出し、被覆部４と接触する半球状の凸部５８４が設けられている。
【００４５】
第五実施形態のディスク再生装置１００ｅによれば、ローラ５３２やボールベアリング５７０といった回転体によらずに、ディスク３に対して一定の負荷をかけながらディスク３の振れを抑制することができる。また、第五実施形態の外側接触部５３ｅは、その構成が単純であり、ディスク再生装置１００ｅに閉める体積の割合が少なくて済むことから、部品配置の設計の自由度を向上させることができる。なお、被覆部４の表面に摺動性の高いコーティングを施したり、又は、潤滑剤等を被覆部４の表面や凸部５８４に塗付することで、凸部５８４と被覆部４との間に発生する摩擦抵抗をより低減させることができる。
【００４６】
＜第六実施形態＞
図１２は、第六実施形態のディスク再生装置１００ｆの外側接触部５３ｆを示す。同図に示すように、第六実施形態のディスク再生装置１００ｆは、外側接触部５３ｆが、先端
に被覆部４と接触する球状部５３４ｆが設けられた接触部側押圧部５３３ｆと、接触部側押圧部５５３ｆの基端に接続された軸部５３２ｆと、軸部５３２ｆが回動可能に支持する支持部５３１ｆと、接触部側押圧部５３３ｆを下向き付勢するバイアスバネ５３５ｆとによって構成されている。
【００４７】
第六実施形態のディスク再生装置１００ｆによれば、第五実施形態のディスク再生装置１００ｅと同じく、ローラ５３２やボールベアリング５７０といった回転体によらずに、ディスク３に対して一定の負荷をかけながらディスク３の振れを抑制することができる。なお、摩擦抵抗を低減させるため、被覆部４の表面に摺動性の高いコーティングを施したり、又は、潤滑剤等を被覆部４の表面や球状部５３４ｆに塗付してもよい。
【００４８】
＜第七実施形態＞
図１３は、第七実施形態のディスク再生装置１００ｇの断面図を示す。また、図１４は、第七実施形態のディスク再生装置１００ｇの外側接触部５３ｇの拡大図を示す。本実施形態のディスク再生装置１００ｇは、上述した各実施形態と異なり、外側接触部５３ｇがディスク３の側面から中心に向けて押圧する点で異なっている。そのため、第七実施形態のディスク再生装置１００ｇでは、被覆部４ｇがディスク３の外形よりも大きく形成されている。また、アーム５２ｇは、被覆部４ｇの更に外側に突出しており、突出した部分には、被覆部４ｇの側面と接触するローラ５９０が設けられている。具体的には、突出した部分にシャフト５９１が垂直に接続され、このシャフト５９１を回転軸として回転可能にローラ５９０が接続されている。なお、ディスク３の中心部は、第一実施形態のディスク再生装置１００と同じく、クランパ５１によって下向きに押圧されている。
【００４９】
第七実施形態のディスク再生装置１００ｇによれば、ディスク３の側面側から中心に向けて押圧することで、ディスク３の振れを抑制することができる。なお、ローラ５９０の材質は、例えばゴムといった弾性部材によって構成することができるが、これに限定されるものではない。
【００５０】
なお、ローラ５９０の形状に変化をもたせることで、第七実施形態のディスク再生装置１００ｇにおいても、ディスク３の上下方向の振れを抑制することができる。ここで図１５は、第七実施形態のローラ５９０の変形例を示す。図１５（ａ）に記載のローラ５９０は、円柱状のローラ本体５９０ａの上下方向中央部に断面視が略矩形の環状溝５９０ａ１が設けられている。この矩形の環状溝５９０ａ１に被覆部４ｇの突出した部分が収容されることで、ディスク３の上下方向の振れが抑制される。図１５（ｂ）、図１５（ｃ）に記載のローラ５９０ｂ、ローラ５９０ｃは、基本的には、図１５（ａ）に示すローラ５９０と同様であるが、環状溝５９０ｂ１、環状溝５９０ｃ１が断面視において略台形となっている。すなわち、環状溝５９０ｂ１、環状溝５９０ｃ１の側面が斜めに形成されている。その結果、万が一ディスク３に振れが発生した場合に、被覆部４ｇの突出した部分が斜面に沿って移動して、最終的に環状溝５９０ｂ１、環状溝５９０ｃ１の中心に収束するので、ディスク３の振れを滑らかに抑制することが可能となる。
【００５１】
図１５（ｄ）に記載のローラ５９０ｄは、円柱状のローラ本体の上下方向の中央付近が最も深くなるように環状の浅溝であって、底面が湾曲状の浅溝が形成されている。ディスク３に振れが発生した場合、被覆部４の突出した部分が湾曲面に沿って移動するので、ディスクの振れを滑らかに抑制することができる。また、図１５（ｅ）、図１５（ｆ）に記載のローラ５９０ｅ、ローラ５９０ｆは、ディスク３の上方への振れを抑える頭部５９０ｅ１、５９０ｆ１と、被覆部４ｇの側面と接触する軸部５９０ｅ２、５９０ｆ２とによって構成されている。図１５（ｅ）、図１５（ｆ）に記載のローラ５９０ｅ、ローラ５９０ｆによれば、ディスク３の上方への振れを抑制することができる。また、図１５（ｅ）の頭部５９０ｅ１には、下側にテーパ部が形成されている。その結果、より滑らかにディス
ク３の振れを低減することができる。更に、図１５（ｇ）に記載のローラ５９０ｇは、上方から下方に向けて徐々に円の外形が小さくなるように形成された柱状体によって形成されている。その結果、ディスク３の上方への振れを抑制することができる。
【００５２】
＜その他の変形例＞
図１６は、変形例１の被覆部４ａを示す。変形例１の被覆部４ａは、記録領域以外の部分、すなわちディスク３の中央部（クランプエリア）と外周部のみに接触するように形成されている。すなわち、変形例１の被覆部４ａには、クランプエリアと接触する内側突出部４ａ１と、外周部と接触する外側突出部４ａ２が設けられ、内側突出部４ａ１と外側突出部４ａ２との間には、ディスク３と接触しない非接触部４ａ３が設けられている。これにより、ディスク３の記録領域への回転差による損傷の発生を防止することができる。具体的には、被覆部４ａは、ディスク３と一体的に回転するが、万が一ディスク３と被覆部４との間に回転のずれが生じることも想定される。この場合、ディスク３と被覆部４ａとが接触する部分を記録領域以外とすれば、万が一ディスク３と被覆部４ａとの間に回転差が生じた場合であっても、ディスク３の記録領域への回転差による損傷の発生を防止することができる。
【００５３】
図１７は、変形例２の被覆部４ｂを示す。変形例２の被覆部４ｂは、変形例１の被覆部４ａの構成に加えて、内側突出部４ａ１と外側突出部４ａ２との間に中間突出部４ｂ１が設けられている。この中間突出部４ｂ１は、直径が８ｃｍのディスクの外周部に相当する部分に設けられている。換言すると、中間突出部４ｂ１は、ディスクの中心から凡そ４ｃｍ付近に設けられている。そして、変形例２の被覆部４ｂでは、内側突出部４ａ１と中間突出部４ｂ１との間にディスクと接触しない内側非接触部４ｂ２が設けられ、中間突出部４ｂ１と外側突出部４ａ２との間にはディスクと接触しない外側非接触部４ｂ３が設けられている。このような変形例２の被覆部４ｂによれば、１２ｃｍディスクだけでなく、８ｃｍディスクの振れも抑制することが可能となる。
【００５４】
図１８は、変形例３の被覆部４ｃを示す。変形例３の被覆部４ｃは、基本的には変形例１の被覆部４ａと同じであるが、外側突出部４ｃ１の形状が異なっている。すなわち、変形例３の被覆部４ｃの外側突出部４ｃ１は、半球状に形成されている。これにより、外側突出部４ｃ１とディスク３との接触が点接触とすることができ、仮にディスク３に損傷が発生した場合であっても損傷の度合いを最小限にすることができる。
【００５５】
図１９は、変形例４の被覆部４ｄを示す。変形例４の被覆部４ｄは、内側突出部４ａ１及び外側突出部４ａ２と、本体部４０ｄとが別々の部材によって構成されている。すなわち、円盤状の本体部４０ｄは、板金によって形成され、内側突出部４ａ１及び外側突出部４ａ２は、ゴム等の弾性部材によって形成されている。なお、内側突出部４ａ１及び外側突出部４ａ２と本体部４０ｄとの接続は、接着剤によって行うことができる。本体部４０ｄを板金とすることで、温度変化等の環境変化の影響を受け難くすることができ、また、ディスク３との接触部分を弾性部材とすることで、ディスク３への損傷を防止し、また、ディスク３との摩擦抵抗を増加させて回転差の発生を抑制することができる。
【００５６】
以上、本発明の好適な実施形態を説明したが、本発明のディスク再生装置はこれらに限らず、可能な限りこれらの組合せを含むことができる。
【図面の簡単な説明】
【００５７】
【図１】従来のディスク装置の断面図を示す。
【図２】第一実施形態のディスク再生装置の外観の斜視図を示す。
【図３】第一実施形態のディスク再生装置の概略構成を示す分解斜視図を示す。
【図４】ディスク再生装置の断面図を示す。
【図５】第一実施形態のローラの分解斜視図を示す。
【図６】第一実施形態のローラの上面図を示す。
【図７】第二実施形態の外側接触部を示す。
【図８】第三実施形態の外側接触部を示す。
【図９】第三実施形態のローラを示す。
【図１０】第四実施形態のディスク再生装置の外側接触部を示す。
【図１１】第五実施形態のディスク再生装置の外側接触部を示す。
【図１２】第六実施形態のディスク再生装置の外側接触部を示す。
【図１３】第七実施形態のディスク再生装置の断面図を示す。
【図１４】第七実施形態のディスク再生装置の外側接触部の拡大図を示す。
【図１５】第七実施形態のローラの変形例を示す。
【図１６】変形例１の被覆部の断面図を示す。
【図１７】変形例２の被覆部の断面図を示す。
【図１８】変形例３の被覆部の断面図を示す。
【図１９】変形例４の被覆部の断面図を示す。
【符号の説明】
【００５８】
１・・・ターンテーブル
２・・・スピンドルモータ
３・・・ディスク
４・・・被覆部
５・・・押圧部
６・・・ピックアップ部
１０ａ・・・筐体上
１０ｂ・・・筐体下
【図１】
2009283053.tif 000003
【図２】
2009283053.tif 000004
【図３】
2009283053.tif 000005
【図４】
2009283053.tif 000006
【図５】
2009283053.tif 000007
【図６】
2009283053.tif 000008
【図７】
2009283053.tif 000009
【図８】
2009283053.tif 000010
【図９】
2009283053.tif 000011
【図１０】
2009283053.tif 000012
【図１１】
2009283053.tif 000013
【図１２】
2009283053.tif 000014
【図１３】
2009283053.tif 000015
【図１４】
2009283053.tif 000016
【図１５】
2009283053.tif 000017
【図１６】
2009283053.tif 000018
【図１７】
2009283053.tif 000019
【図１８】
2009283053.tif 000020
【図１９】
2009283053.tif 000021